(57)【要約】【課題】除湿機吹き出し口の異常監視方法及びシステム【解決手段】除湿機吹き出し口の異常監視方法及びシステムであり、そのうち、前記方法は以下を含む：除湿機の吹き出し口に閉塞の異常があるかを識別し、前記吹き出し口に前記閉塞の異常があると識別された後に、前記除湿機の強風の稼働を実行する或いは前記除湿機導風板をリセットする制御をし、前記強風の稼働を実行する設定時間後又は前記除湿機導風板のリセット後に、閉塞の異常が解消されるかを識別し、そして、前記閉塞の異常がまだ解消されないと識別された後に、前記除湿機の稼動停止を制御し、故障のメッセージを出力する。当該除湿機吹き出し口の異常監視方法及びシステムは、除湿機吹き出し口が長時間塞がったままの除湿機の稼動や、使用寿命及び信頼性への悪影響を防ぐことができる。
2016535668.tif 000002
【特許請求の範囲】
【請求項１】
ステップＳ１００：除湿機の吹き出し口に閉塞の異常があるかを識別する、
ステップＳ２００：前記吹き出し口に前記閉塞の異常があると識別された後に、前記除湿機の強風の稼働を実行する或いは除湿機導風板をリセットする制御をする、
ステップＳ３００：前記強風の稼働を実行する設定時間後又は前記除湿機導風板のリセット後に、ステップＳ１００に戻り、前記閉塞の異常が解消されるかを識別する、
ステップＳ４００：前記閉塞の異常が未だ解消されないと識別された後に、前記除湿機の稼動停止を制御し、故障のメッセージを出力する、
ステップを含む、ことを特徴とする除湿機吹き出し口の異常監視方法。
【請求項２】
前記ステップＳ１００は以下のステップを含む：
ステップＳ１１０：前記除湿機の稼動中における環境温度及び蒸発器管温度を検査測定する、
ステップＳ１２０：前記蒸発器管の温度変化の傾向が予め設定された条件を満たすか否かを判断する、
ステップＳ１３０：ステップＳ１２０でＹＥＳと判断された場合には、現時点の前記環境温度及び蒸発器管温度の差を計算するとともに、現時点の前記環境温度と蒸発器管温度との差と、予め設定された温度の差とを比較する、
ステップＳ１４０：現時点の前記環境温度及び蒸発器管温度の差が、予め設定された温度の差より小さい場合には、ステップＳ２００に移る、
ことを特徴とする請求項１に記載の除湿機吹き出し口の異常監視方法。
【請求項３】
前記予め設定された条件は、
前記蒸発器管温度が、第一設定時間内で第一設定温度幅下がった後に、第二設定時間内で第二設定温度幅上がることとする、
ことを特徴とする請求項２に記載の除湿機吹き出し口の異常監視方法。
【請求項４】
前記第一設定時間は１〜３分間であり、前記第一設定温度幅は３〜６°Ｃであり、前記第二設定時間は４〜６分間であり、前記第二設定温度幅は３〜７°Ｃである、
ことを特徴とする請求項３に記載の除湿機吹き出し口の異常監視方法。
【請求項５】
前記設定温度の差は４〜８°Ｃである、
ことを特徴とする請求項２乃至請求項４のいずれか一項に記載の除湿機吹き出し口の異常監視方法。
【請求項６】
第一識別モジュール、故障排除モジュール、第二識別モジュール及び緊急停止制御モジュールを含み、
前記第一識別モジュールは、前記除湿機の吹き出し口に閉塞の異常があるかを識別するのに用いられ、
前記故障排除モジュールは、前記吹き出し口に前記閉塞の異常があると識別された後に、前記除湿機の強風の稼働を実行する或いは前記除湿機導風板をリセットする制御に用いられ、
前記第二識別モジュールは、前記強風の稼働の設定時間後又は前記除湿機導風板のリセット後に、前記第一識別モジュールを制御し、前記閉塞の異常が解消されるかを識別するのに用いられ、
前記緊急停止制御モジュールは、前記閉塞の異常が未だ解消されないと識別された後に、前記除湿機の稼動停止を制御し、故障のメッセージを出力するのに用いられる、
ことを特徴とする除湿機吹き出し口の異常監視システム。
【請求項７】
前記第一識別モジュールは、検出ユニット、判断ユニット、比較ユニット及び識別ユニットを含み、
前記検出ユニットは、前記除湿機の稼動中の環境温度及び蒸発器管温度を検査測定するのに用いられ、
前記判断ユニットは、前記蒸発器管の温度変化の傾向が予め設定された条件を満たすか否かを判断するのに用いられ、
前記比較ユニットは、前記判断ユニットにおいて、前記蒸発器管の温度変化の傾向が、予め設定された条件を満たすと判断された後に、現時点の前記環境温度及び蒸発器管温度の差を計算するとともに、現時点の前記環境温度と蒸発器管温度との差と、予め設定された温度の差とを比較するのに用いられ、
前記識別ユニットは、現時点の前記環境温度及び蒸発器管温度の差が、予め設定された温度の差より小さくなった際に、前記故障排除モジュールを起動するのに用いられる、
ことを特徴とする請求項６に記載の除湿機吹き出し口の異常監視システム。
【請求項８】
前記予め設定された条件は、
前記蒸発器管温度が、第一設定時間内で第一設定温度幅下がった後に、第二設定時間内で第二設定温度幅上がることである、
ことを特徴とする請求項７に記載の除湿機吹き出し口の異常監視システム。
【請求項９】
前記第一設定時間は１〜３分間であり、前記第一設定温度幅は３〜６°Ｃであり、前記第二設定時間は４〜６分間であり、前記第二設定温度幅は３〜７°Ｃである、
ことを特徴とする請求項８に記載の除湿機吹き出し口の異常監視システム。
【請求項１０】
前記設定温度の差は４〜８°Ｃである、
ことを特徴とする請求項７乃至請求項９のいずれか一項に記載の除湿機吹き出し口の異常監視システム。
【発明の詳細な説明】
【関連出願】
【０００１】
本特許の出願は、２０１３年１０月１２日に出願された、出願番号２０１３１０４７６２１６．０、名称「除湿機吹き出し口の異常監視方法及びシステム」の中国特許出願の優先権を主張するものであり、参考のため、その全文を引用する。
【技術分野】
【０００２】
本発明は除湿器の技術分野、特に除湿機吹き出し口の異常監視方法及びシステムに関する。
【背景技術】
【０００３】
従来の除湿機製品では、使用中に外部環境或いは導風板が正常に開かないなどの原因により、吹き出し口が塞がってしまう異常状況が起こることがよくある。このような異常状況をすぐに発見し、処理しなければ、軽微な除湿機の吹き出し口の閉塞の状況の場合では、時間が経つとともに除湿機製品の圧縮機及び吹き出し口の老化速度が加速し、これにより、除湿機製品の使用寿命を減らすことになってしまう。また、重大な閉塞の状況の場合では、除湿機製品の稼働に直接的な危害が及んでしまい、製品の稼働に障害を生じさせ、製品の信頼性を減らし、ひていは製品の安全性の問題も誘発してしまう。従って、如何にして除湿機の吹き出し口に発生する閉塞の問題による、製品の故障を引き起こす問題を解決するかは早急に解決されるべき問題である。
【発明の概要】
【発明が解決しようとする課題】
【０００４】
以上に基づいて、従来技術の欠陥および欠点に対して、除湿機の稼働中に除湿機の吹き出し口に発生する閉塞の異常状況をタイムリーに検出し、加えて異常の解消を行い、除湿機吹き出し口の閉塞による不具合発生を防ぐための、除湿機吹き出し口の異常監視方法及びシステムを提供する必要がある。
【０００５】
本発明の目的を実現するために、提供された除湿機吹き出し口の異常監視方法は、以下のステップを含む：
ステップＳ１００：除湿機の吹き出し口に閉塞の異常があるかを識別する。
ステップＳ２００：前記吹き出し口に前記閉塞の異常があると識別された後に、前記除湿機の強風の稼働を実行する或いは除湿機導風板をリセットする制御をする。
ステップＳ３００：前記強風の稼働を実行する設定時間後又は前記除湿機導風板のリセット後に、ステップＳ１００に戻り、前記閉塞の異常が解消されるかを識別する。
ステップＳ４００：前記閉塞の異常が未だ解消されないと識別された後に、前記除湿機の稼動停止を制御し、故障のメッセージを出力する。
【０００６】
一つの実施例において、ステップＳ１００は以下のステップを含む：
ステップＳ１１０：前記除湿機の稼働中における環境温度及び蒸発器管温度を検査測定する。
ステップＳ１２０：前記蒸発器管の温度変化の傾向が予め設定された条件を満たすか否かを判断する。
【０００７】
ステップＳ１３０：ＹＥＳと判断された場合には、現時点の前記環境温度及び蒸発器管温度の差を計算するとともに、現時点の前記環境温度と蒸発器管温度との差と、予め設定された温度の差とを比較する。
【０００８】
ステップＳ１４０：現時点の前記環境温度及び蒸発器管温度の差が、予め設定された温度の差より小さい場合には、ステップＳ２００に移る。
【０００９】
一つの実施例において、前記予め設定された条件は、前記蒸発器管温度が第一設定時間内で第一設定温度幅下がった後に、第二設定時間内で第二設定温度幅上がることとする。
【００１０】
一つの実施例において、前記第一設定時間は１〜３分間であり、前記第一設定温度幅は３〜６°Ｃであり、前記第二設定時間は４〜６分間であり、前記第二設定温度幅は３〜７°Ｃである。
【００１１】
一つの実施例において、前記設定温度の差は４〜８°Ｃである。
【００１２】
以上に対応し、本発明は、除湿機吹き出し口の異常監視システムであって、第一識別モジュール、故障排除モジュール、第二識別モジュール及び緊急停止制御モジュールを含むものを提供する。
【００１３】
前記第一識別モジュールは、前記除湿機の吹き出し口に閉塞の異常があるかを識別するのに用いられる。
【００１４】
前記故障排除モジュールは、前記吹き出し口に前記閉塞の異常があると識別された後に、前記除湿機の強風の稼働を実行する或いは前記除湿機導風板をリセットする制御に用いられる。
【００１５】
前記第二識別モジュールは、前記強風の稼働の設定時間後又は前記除湿機導風板のリセット後に、前記第一識別モジュールを制御し、前記閉塞の異常が解消されるかを識別するのに用いられる。
【００１６】
前記緊急停止制御モジュールは、前記閉塞の異常が未だ解消されないと識別された後に、前記除湿機の稼動停止を制御し、故障のメッセージを出力するのに用いられる。
【００１７】
一つの実施例において、第一識別モジュールは検出ユニット、判断ユニット、比較ユニット及び識別ユニットを含むものである。
【００１８】
前記検出ユニットは、前記除湿機の稼動中の環境温度及び蒸発器管温度を検査測定するのに用いられる。
【００１９】
前記判断ユニットは、前記蒸発器管の温度変化の傾向が予め設定された条件を満たすか否かを判断するのに用いられる。
【００２０】
前記比較ユニットは、前記判断ユニットにおいて、前記蒸発器管の温度変化の傾向が予め設定された条件を満たすと判断された後に、現時点の前記環境温度及び蒸発器管温度の差を計算するとともに、現時点の前記環境温度と蒸発器管温度との差と、予め設定された温度の差とを比較するのに用いられる。
【００２１】
前記識別ユニットは、現時点の前記環境温度及び蒸発器管温度の差が、予め設定された温度の差より小さくなった際に、前記故障排除モジュールを起動するのに用いられる。
【００２２】
一つの実施例において、予め設定された条件は、前記蒸発器管温度が第一設定時間内で第一設定温度幅下がった後に、第二設定時間内で第二設定温度幅上がることである。
【００２３】
一つの実施例において、前記第一設定時間は１〜３分間であり、前記第一設定温度幅は３〜６°Ｃであり、前記第二設定時間は４〜６分間であり、前記第二設定温度幅は３〜７°Ｃである。
【００２４】
一つの実施例において、前記設定温度の差は４〜８°Ｃである。
【発明の効果】
【００２５】
本発明が提供する除湿機吹き出し口の異常監視方法及びシステムは、吹き出し口に発生する閉塞の異常状況を識別することにより、前記除湿機の強風の稼働を実行する或いは前記除湿機導風板をリセットする制御をし、故障を防ぎ、さらに、自動的に故障を解消することができない時に、タイムリーに稼動停止し、加えて、ユーザーに警告のメッセージを出力する。これにより、除湿機吹き出し口に発生する閉塞の異常をタイムリーに識別することを実現し、さらに、異常の識別後にタイムリーに故障を解消するため、除湿機吹き出し口が長時間塞がったままの除湿機の稼動や、使用寿命及び信頼性への悪影響を防ぐことができる。
【図面の簡単な説明】
【００２６】
本発明における除湿機吹き出し口の異常監視方法及びシステムの目的、技術案及びメリットをさらに明確するために、以下では、具体的な図面及び実施例を参照し、本発明の除湿機吹き出し口の異常監視方法及びシステムをより詳しく説明する。
図１は、本発明における除湿機吹き出し口の異常監視方法の一実施例のフローチャートである。
図２は、本発明における除湿機吹き出し口の異常監視システムの一実施例の構造図である。
図３は、図２に示される本発明における除湿機吹き出し口の異常監視システムの第一識別モジュールの一実施例の構造図である。
【発明を実施するための形態】
【００２７】
本発明が提供する除湿機吹き出し口の異常監視方法及びシステムの実施例は、図１〜図３に示すごとくである。
【００２８】
本発明が提供する除湿機吹き出し口の異常監視方法の一実施例は、図１に示されるように、以下のステップを含む。
【００２９】
ステップＳ１００：前記除湿機の吹き出し口に閉塞の異常があるかを識別する。除湿機は稼動中に、ひとたび吹き出し口に閉塞の異常が発生すれば、その蒸発器管温度には、環境温度に対してより明らかな変化が現れる。除湿機の稼動中における環境温度及び蒸発器管温度を検査測定することにより、吹き出し口に発生する閉塞の異常状況をタイムリーかつ正確に識別することができる。
【００３０】
ステップＳ２００：前記吹き出し口に前記閉塞の異常があると識別された後に、前記除湿機の強風の稼働を実行する或いは前記除湿機導風板をリセットする制御をする。
【００３１】
通常、吹き出し口に閉塞の異常が発生することは一般的に、除湿機が長時間稼動した後に、外部環境にある埃或いは雑物が吹き出し口に落下し、又は吹き出し口が他の物体に遮られることにより、吹き出し口の閉塞を起こしてしまう。この場合に、強風の稼働を実行することにより、高圧側における熱交換の風量を増加し、吹き出し口にある埃或いは雑物を吹き落とし、又は遮蔽物を吹き飛ばすことにより、吹き出し口に発生する閉塞の異常による故障を排除することができる。また、従来の除湿機製品では除湿機吹き出し口に導風板の運動機構を備えるものがより多くなったが、導風板付きの除湿機では、導風板が９０°まで開かない、又は外部の原因により除湿機稼動中に導風板の開角度が小さく、ひいては完全に吹き出し口を閉鎖するほどのまで開角度が小さい場合には、導風板は遮蔽物のように吹き出し口を塞ぎ、これにより、吹き出し口閉塞の異常を起こしてしまう。通常、人為的或いは他の異常により導風板が閉じられ、さらに吹き出し口の閉塞が起きてしまった場合には、導風板を完全にリセットさせる動作の制御をすることにより、故障を排除することができる。
【００３２】
ステップＳ３００：前記強風の稼働の設定時間後或いは前記除湿機導風板のリセット後に、ステップＳ１００に戻り、前記閉塞の異常が解消されるかを識別する。そして、故障排除動作を行った後に、さらに故障が解消されるかを確認する必要がある。
【００３３】
ステップＳ４００：前記閉塞の異常が未だ解消されないと識別された後に、前記除湿機の稼動停止を制御し、故障のメッセージを出力する。吹き出し口の閉塞状況が深刻な場合には、除湿機製品自体により故障の排除ができないため、人間により排除を行う必要がある。故障を排除する前に、設備自体への影響を減少するために、除湿機の稼動停止を制御する。
【００３４】
従来の除湿機製品は、吹き出し口の異常の発生を識別不能であるため、異常の排除をタイムリーに行うことができず、圧縮機の過負荷に基づいて最終的な保護を行うことしかできない。本発明の実施例が提供する除湿機吹き出し口の異常監視方法及びシステムは、吹き出し口に発生する閉塞の異常状況をタイムリーかつ正確に識別することにより、除湿機の強風の稼働を実行する、或いは前記除湿機導風板をリセットする制御をし、故障の解消を行い、さらに、自動的に故障を排除することができない時に、タイムリーに稼動停止し、加えて、ユーザーに警告のメッセージを出力する。除湿機吹き出し口に発生する閉塞の異常をタイムリーに識別することを実現し、さらに、異常の識別後にタイムリーに故障を解消し、これにより、除湿機吹き出し口が長時間塞がったままの除湿機の稼動や、使用寿命及び信頼性への悪影響を防ぐことができる。
【００３５】
好ましくは、一つの実施可能な方法として、前記ステップＳ１００は以下のステップを含む：
【００３６】
ステップＳ１１０：前記除湿機の稼動中における環境温度及び蒸発器管温度を検査測定する。
【００３７】
ステップＳ１２０：前記蒸発器管の温度変化の傾向が予め設定された条件を満たすか否かを判断する。
【００３８】
ステップＳ１３０：ＹＥＳと判断された場合には、現時点の前記環境温度及び蒸発器管温度の差を計算するとともに、現時点の前記環境温度と蒸発器管温度との差と、予め設定された温度の差とを比較する。
【００３９】
ステップＳ１４０：現時点の前記環境温度及び蒸発器管温度の差は、予め設定された温度差より小さい場合には、ステップＳ２００に移る。
【００４０】
除湿機の稼動中に、ひとたび吹き出し口に閉塞の異常が発生すれば、その蒸発器管温度は環境温度に対してより明らかに変化が現れる。従って、本発明の実施例が提供する除湿機吹き出し口の異常監視方法では、除湿機の稼動中における環境温度及び蒸発器管温度を検査測定することにより、吹き出し口に発生する閉塞の異常状況をタイムリーかつ正確に識別することを可能とする。
【００４１】
さらに、前記予め設定された条件は、前記蒸発器管温度が第一設定時間内で第一設定温度幅下がった後に、第二設定時間内で第二設定温度幅上がることである。除湿機の実際の稼動中において、圧縮機が連続稼動する際に、ひとたび吹き出し口に異常が発生すれば、蒸発器管温度は瞬間に下降し、その後、継続的に上昇する温度の変化が現れ、そして、蒸発器管温度が上昇する傾向が検出された後に、環境温度及び蒸発器管温度の間の差を判断し、ひとたび予め設定された温度の差、即ち、信頼性のある稼動の限界温度差を超えると、吹き出し口に異常の故障があると判断する。
【００４２】
さらに、前記第一設定時間は１〜３分間であり、前記第一設定温度幅は３〜６°Ｃであり、前記第二設定時間は４〜６分間であり、前記第二設定温度幅は３〜７°Ｃである。
【００４３】
好ましくは、前記設定温度の差は４〜８°Ｃである。
【００４４】
なお、前記予め設定された条件における時間範囲、及びそれに対応する温度変化の幅は、数多くの実験により得られたものであり、典型的な環境である２５℃／８０％相対湿度の条件下で、稼動中に吹き出し口を急に閉塞する実験を検証する例を用いて以下に説明する。
【００４５】
１分目に除湿機の吹き出し口を閉塞し、吹き出し口を閉塞した１３分間後にシステムに過負荷保護が実行された。吹き出し口を閉塞した後に、蒸発器管温度は先ず急に下降し、その後継続的に上昇して、２分間以内に１３℃から７℃に下降し、そして、過負荷保護により圧縮機が停止する前に、蒸発器管温度は、最低の７℃から１０分間前後で２９℃まで上昇し、その後の５分間内では、外部環境温度と蒸発器管温度との差が終始６℃より高いものとなる。
【００４６】
除湿機による自動的な故障の解消後の一定期間内（設定時間）では、依然として環境温度と蒸発器管温度との差が６℃より小さいと識別されるため、直接稼動を停止し、加えて鳴音を出すことにより、吹き出し口の異常を表示する故障コードをユーザーに提示し、吹き出し口に異常の故障があるかを検査させる。
【００４７】
同一の発明構想に基づいて、本発明の実施例は除湿機吹き出し口の異常監視システムを提供する。本システムの問題解決の原理は上述の除湿機吹き出し口の異常監視方法実現の原理と類似しているため、本システムの実施は前記方法の具体的な操作により実現されることができるため、説明は重複して行わないこととする。
【００４８】
本発明が提供する吹き出し口の異常監視システムは、図２に示されるように、第一識別モジュール１００、故障排除モジュール２００、第二識別モジュール３００及び緊急停止制御モジュール４００を含むものである。
【００４９】
前記第一識別モジュール１００は、前記除湿機の吹き出し口に閉塞の異常があるかを識別するのに用いられる。
【００５０】
前記故障排除モジュール２００は、前記吹き出し口に前記閉塞の異常があると識別された後に、前記除湿機の強風の稼働を実行する、或いは前記除湿機導風板をリセットする制御をする。
【００５１】
前記第二識別モジュール３００は、前記強風の稼働の設定時間後、又は前記除湿機導風板のリセット後に、前記第一識別モジュール１００を制御し、前記閉塞の異常が解消されるかを識別するのに用いられる。
【００５２】
前記緊急停止制御モジュール４００は、前記閉塞の異常が未だ解消されないと識別された後に、前記除湿機の稼動停止を制御し、故障のメッセージを出力するのに用いられる。
【００５３】
好ましくは、一つの実施可能な方法として、図３に示されるように、第一識別モジュール１００は検出ユニット１１０、判断ユニット１２０、比較ユニット１３０及び識別ユニット１４０を含むものとする。
【００５４】
前記検出ユニット１１０は、前記除湿機の稼動中の環境温度及び蒸発器管温度を検査測定するのに用いられる。
【００５５】
前記判断ユニット１２０は、前記蒸発器管の温度変化の傾向が予め設定された条件を満たすか否かを判断するのに用いられる。
【００５６】
前記比較ユニット１３０は、前記判断ユニット１２０において、前記蒸発器管の温度変化の傾向が予め設定された条件を満たすと判断された後に、現時点の前記環境温度及び蒸発器管温度の差を計算するとともに、現時点の前記環境温度と蒸発器管温度との差と、予め設定された温度の差とを比較する。
【００５７】
前記識別ユニット１４０は、現時点の前記環境温度及び蒸発器管温度の差が、予め設定された温度の差より小さくなった後に、前記故障排除モジュール２００を起動する。
【００５８】
さらに、予め設定された条件は、前記蒸発器管温度が第一設定時間内で第一設定温度幅下がった後に、第二設定時間内で第二設定温度幅上がることである。
【００５９】
なお、前記第一設定時間は１〜３分間であり、前記第一設定温度幅は３〜６°Ｃであり、前記第二設定時間は４〜６分間であり、前記第二設定温度幅は３〜７°Ｃである。
【００６０】
好ましくは、前記設定温度の差は４〜８°Ｃである。
【００６１】
本発明の実施例が提供する除湿機吹き出し口の異常監視方法及びシステムは、除湿機の稼動中における環境温度及び蒸発器管温度を検査測定することにより、吹き出し口に発生する閉塞の異常状況をタイムリーかつ正確に識別する。さらに、除湿機の強風の稼働を実行し、故障の解消を行い、そして、自動的に故障を解消することができない時には、タイムリーに稼動停止し、加えて、ユーザーに警告のメッセージを出力する。従って、除湿機吹き出し口に発生する閉塞の異常をタイムリーに識別することを実現し、さらに、異常の識別後にタイムリーに故障を解消し、これにより、除湿機吹き出し口が長時間塞がったままの除湿機の稼動や、使用寿命及び信頼性への悪影響を防ぐことができる。
【００６２】
以上の実施例は、本発明の複数の実施例を述べたものに過ぎず、その説明は具体的かつ詳細であるが、これによって本発明の特許の範囲が制限されるわけではない。本分野の一般的な技術者は、本発明の構想から外れないことを前提に、若干の変形及び改良を加えることができ、これらは本発明の保護範囲に含まれるべきである。従って、本発明の保護範囲は添付の特許請求の範囲に準すべきである。
【図１】
2016535668.tif 000003
【図２】
2016535668.tif 000004
【図３】
2016535668.tif 000005
【国際調査報告】
2016535668.tif 000006
2016535668.tif 000007
2016535668.tif 000008
2016535668.tif 000009
2016535668.tif 000010
2016535668.tif 000011